(57)【要約】      （修正有）【課題】短小のねじシャフトを用いて高い階へ昇降できるねじシャフト式エレベータを提供する。【解決手段】複数本の短小第１ねじシャフト６を、互に平行状態で、回転自在に起立支持させ、第１ねじシャフトに、１又は複数本の第１リフトフレーム１０を、ねじシャフトの回転により昇降できるように、水平状態でそれぞれ螺合して支持させ、第１リフトフレームに、１又は複数本の短小第２ねじシャフト１６を、第１リフトフレームの昇降に伴い昇降できるように、各ねじシャフト下端部において回転自在に支承させた状態で、起立支持させ、最上位に上昇すべきねじシャフトをケージＧに螺合させ、リフトフレームに、リフトフレームの上昇時に上記ケージを押し上げるためのリフト部材を設けた、ねじシャフト式エレベータ。【選択図】図１
2009132479.tif 000002
【特許請求の範囲】
【請求項１】
複数本の短小第１ねじシャフトを、互に平行状態で、回転自在に起立支持させ、
上記第１ねじシャフトに、１又は複数本の第１リフトフレームを、該ねじシャフトの回転により昇降できるように、水平状態でそれぞれ螺合して支持させ、
上記第１リフトフレームに、１又は複数本の短小第２ねじシャフトを、該第１リフトフレームの昇降に伴い昇降できるように、各ねじシャフト下端部において回転自在に支承させた状態で、起立支持させ、
以下建物の階数に応じ、必要により、上記複数本の第２ねじシャフトに第２リフトフレームを同様に螺合して支持させると共に、上記第２リフトフレームに同様に短小第３ねじシャフトをねじシャフト下端部において回転自在に支承させた状態で、起立支持させる構成を順次積み上げていき、
上記各ねじシャフトを正逆回転させる回転駆動手段を備え、
上記ねじシャフトのうち最上位に上昇すべきねじシャフトをケージに螺合させると共に、上記各リフトフレームに、該リフトフレームの上昇時に上記ケージを押し上げるためのリフト部材をそれぞれ設けた、
ねじシャフト式エレベータ。
【発明の詳細な説明】
【技術分野】
【０００１】
本発明は、客用エレベータ又は荷物専用エレベータに使用されるねじシャフト式エレベータに関する。
【背景技術】
【０００２】
従来、例えば、客用エレベータとして、建物上部に、電動機、制動機及びけん引溝車からなる巻上げ機を設置し、該巻上げ機から垂下したワイヤロープによりケージを昇降させる構造のワイヤロープ式エレベータが広く使用されている。
【０００３】
しかし、従来のワイヤロープ式エレベータでは、建物の上部に広い機械室が必要となり、さらに電動機、制動機及びけん引溝車を配置するほか、ワイヤロープ切断時のケーシング落下防止装置、その他各種の保全装置も装備しなければならないため、設備費が高価につく欠点があり、しかも新築時にのみ設置でき、中古住宅には不向きであり、特に近年需要の多い３〜４階建て住宅に利用するには、多くの問題が残されていた。
【０００４】
上記のワイヤロープ式エレベータの問題点を改善するため、ねじシャフトの回転により、それと螺合するナットブロックの進退によってケージを昇降させるねじシャフト式エレベータが提案されている。
【０００５】
しかし、上記のねじシャフトエレベータを３階〜４階用エレベータに実施する場合、ねじシャフトを１階フロアから３階〜４階天井まで達する長いものを設置するときは、ねじシャフトに回転時の過大な捩れが加わり、それに耐えるだけの強度をもたせるには、ねじシャフトの径を太く設計しなければならず、それはねじシャフトのコストを高める結果となり、経済的に極めて不利益となっていた。
【発明の開示】
【発明が解決しようとする課題】
【０００６】
本発明は、短小のねじシャフトを用いて３階、４階等の高い階へ昇降できるねじシャフト式エレベータを提供することを課題とする。
【課題を解決するための手段】
【０００７】
上記課題解決の手段として、本発明は、
複数本の短小第１ねじシャフトを、互に平行状態で、回転自在に起立支持させ、
上記第１ねじシャフトに、１又は複数本の第１リフトフレームを、該ねじシャフトの回転により昇降できるように、水平状態でそれぞれ螺合して支持させ、
上記第１リフトフレームに、１又は複数本の短小第２ねじシャフトを、該第１リフトフレームの昇降に伴い昇降できるように、各ねじシャフト下端部において回転自在に支承させた状態で、起立支持させ、
以下建物の階数に応じ、必要により、上記複数本の第２ねじシャフトに第２リフトフレームを同様に螺合して支持させると共に、上記第２リフトフレームに同様に短小第３ねじシャフトをねじシャフト下端部において回転自在に支承させた状態で、起立支持させる構成を順次積み上げていき、
上記各ねじシャフトを正逆回転させる回転駆動手段を備え、
上記ねじシャフトのうち最上位に上昇すべきねじシャフトをケージに螺合させると共に、上記各リフトフレームに、該リフトフレームの上昇時に上記ケージを押し上げるためのリフト部材をそれぞれ設けた、
ねじシャフト式エレベータを提供する。
【発明の効果】
【０００８】
本発明のねじシャフト式エレベータによれば、短小のねじシャフトを順次連継して建物の３階、４階等の高い階へ昇降できるねじシャフト式エレベータを構築することができ、又使用するねじシャフトは短小で足りるから、過大な捩れの加わるおそれがなく、しかも安価に提供できる利点が得られる。
【０００９】
さらに、従来のワイヤロープ式エレベータにくらべ、全体の設備費が比較的安価にすむと共に、中古建物等にも設置でき、特に近年需要の多い３〜４階建の木造又は軽量鉄骨住宅に賞用される利点を有するのである。
【発明を実施するための最良の形態】
【００１０】
本発明における上記ねじシャフトの「短小」長は、建物の１フロア分の高さを２．５ｍとすると、２階用エレベータに使用するねじシャフトの長さは、一列として約３．３ｍ、３階又は４階用エレベータに使用するねじシャフトの長さは、一例として約５ｍとしてあるが、これに限定されるものではない。
【００１１】
上記各ねじシャフトを正逆回転させる「回転駆動手段」には、正逆回転式モータを各ねじシャフトにそれぞれ接続したもの、第１、第２、第３の各グループ内の複数本のねじシャフトをそれぞれチェン−スプロケット、歯車列等によって連動可能に連継し、その各グループ内の１のねじシャフトに正逆回転式モータを接続したもの、その他種々の構造のものが含まれる。
【００１２】
又、上記「リフト部材」には、ケージ背面に設けた係止孔つき受け金具に対し、上記係止孔に下から差しこまれるべき上向きのカギ先を有するリフトフック、ケージ下面の係止孔に係止すべきリフト突起、ケージ下面に当接すべきリフト板、その他種々のものが使用される。
【実施例１】
【００１３】
図１〜図６は、長さ約５ｍのねじシャフトを用いた３階用エレベータの例である。
まず、図１（イ）、（ロ）において、１階フロアから３階天井に至る鋼管からなるセンター柱（１）を設置し、その左右両側に、１階フロアから２階天井に至る同材質のサイド柱（２）、（２）を適宜間隔をあけた平行状態に、梁（３）、（３）により連結起立し、各柱（１）、（２）、（２）の前面に、Ｉ形レール（エッチ形レール）（４）、（５）、（５）を柱全長にわたってそれぞれ敷設してある。
【００１４】
上記サイド柱（２）、（２）の各レール（５）、（５）の若干前位に、長さ５ｍの第１ねじシャフト（６）、（６）を、シャフト下端部は１階フロア上の軸受（７）、（７）により、シャフト上端部は上記梁（３）の軸受（８）、（８）によりそれぞれ回転自在に支持すると共に、上記軸受（８）、（８）上に設置された正逆回転型ギヤードモータ（９）、（９）に、各シャフト上端を回転伝達可能にそれぞれ接続してある。
【００１５】
上記２本の第１ねじシャフト（６）、（６）には、図３、４に示すように横長材からなる上下一対の第１リフトフレーム（１０）、（１０）を、ほぼケージ（Ｇ）の上下高さに対応する上下間隔をあけて水平に支持してあり、該リフトフレーム（１０）、（１０）はその左右両端部にナットブロック（１１）、（１１）をそれぞれ固定し、それら左右のナットブロック（１１）（１１）、（１１）（１１）を上記第１ねじシャフト（６）、（６）にそれぞれ螺合すると共に、各ナットブロック（１１）…の背面に、図２に示すようにフランジ継手（１２）…によりそれぞれ接続されたＴ形溝を有するスライダー（１３）…を、上記サイド柱（２）、（２）のレール（５）、（５）に摺動自在に係合してある。
【００１６】
上記のように支持された上下一対の第１リフトフレーム（１０）、（１０）上に、図４に示すように、上向きのカギ先を有する左右一対のリフトフック（１４）、（１４）を、そのカギ先部を適宜前方へ突出した状態で、それぞれ固定し、一方、上記リフトフック（１４）（１４）、（１４）（１４）に対応して、ケージ（Ｇ）の背面の上下部に、係止孔を有する受け金具（１５）（１５）、（１５）（１５）を該係止孔を上下に向けてそれぞれ固定してある。これら受け金具（１５）…をリフトフック（１４）…のカギ先に上からそれぞれ係合しているときは、ケージ（Ｇ）全体が第１リフトフレーム（１０）、（１０）に支持されているが、ケージ（Ｇ）を上方へ押し上げれば、受け金具（１５）…がリフトフック（１４）…から自動的に離脱することとなる。
【００１７】
この場合、上部の受け金具（１５）、（１５）と下部のそれ（１５）、（１５）とは、図３に示すように上下位置関係をずらせて、ケージ（Ｇ）の昇降に支障を与えないようにしてある。
【００１８】
上記第１リフトフレーム（１０）、（１０）の中間部には、１本の第２ねじシャフト（１６）が回転自在に支持されており、該第２ねじシャフト（１６）の下端部及び下部を第１リフトフレーム（１０）、（１０）において軸受（１７）、（１７）により、シャフト上端部をセンター柱（１）のレール（４）に摺動自在に係合された軸受（１８）（図１（イ）参照）によりそれぞれ回転自在に支持され、そして下部の上記第１リフトフレーム（１０）の中間部下面に設置された正逆回転型ギヤードモータ（１９）に回転伝達可能に接続してある。
【００１９】
上記のように支持された第２ねじシャフト（１６）に対し、ケージ（Ｇ）の背面中間部上下位置に図３のようにナットブロック（２０）、（２０）を固定し、該ナットブロック（２０）、（２０）に上記第２ねじシャフト（１６）をそれぞれ螺合してある。
【００２０】
上記ナットブロック（２０）、（２０）の各背面にフランジ継手（２１）、（２１）を介してＴ形溝を有するスライダー（２２）、（２２）を連設し、該スライダー（２２）、（２２）をセンター柱（１）のレール（４）に摺動自在に係合保持させている。
【００２１】
なお、上記ケージ（Ｇ）の上面中心部にワイヤロープ（２３）の一端を連結し、他端をセンター柱（１）上端のトップシーブ（２４）、（２５）を介して該センター柱（１）内のバランスウエイト（２６）に連結してある。
【００２２】
上例の作用を操作とともに次に説明する。図１（イ）、（ロ）のようにケージ（Ｇ）が
１階にある状態において、まず、モータ（９）、（９）の正回転により第１ねじシャフト
（６）、（６）を正回転させ、それと螺合しているナットブロック（１１）…とともに第
１リフトフレーム（１０）、（１０）を上昇させ、それによりフック（１４）…及び受け
金具（１５）…を介してケージ（Ｇ）及び第２ねじシャフト（１６）をともに上昇させる
。
【００２３】
上部の第１リフトフレーム（１０）が、上記第１ねじシャフト（６）、（６）の上部軸受（８）、（８）に当接する位置まで上昇したとき、図５（ハ）、（ニ）に示すようにケージ（Ｇ）が２階に至る。
【００２４】
次に、モータ（１９）を正転して第２ねじシャフト（１６）を正回転させれば、該第２ねじシャフト（１６）と螺合しているナットブロック（２０）、（２０）を上昇させ、それによりケージ（Ｇ）が、上記第１リフトフレーム（１０）、（１０）のフック（１４）…から受け金具（１５）…を上方へ離脱させつつ２階から上昇を開始する。
【００２５】
ケージ（Ｇ）の上部のナットブロック（２０）が、第２ねじシャフト（１６）の上端軸受（１８）に当接する位置まで、上昇したとき、図６（ホ）に示すようにケージ（Ｇ）が３階に至る。
【００２６】
上記ケージ（Ｇ）を昇降させるときは、上記モータ（１９）を逆転させて第２ねじシャフト（１６）を逆回転させ、それと螺合するナットブロック（２０）、（２０）及びケージ（Ｇ）を降下させる。
【００２７】
上記ケージ（Ｇ）の受け金具（１５）…がフック（１４）…に被嵌したときケージ（Ｇ）が２階に至る。
【００２８】
次に、モータ（９）、（９）を逆転させて第１ねじシャフト（６）、（６）を逆回転させ、それと螺合するナットブロック（１１）…とともに第１リフトフレーム（１０）、（１０）を降下させ、それにより第２ねじシャフト（１６）、ケージ（Ｇ）が降下する。
【００２９】
上記第１リフトフレーム（１０）、（１０）が最下位に降下したときケージ（Ｇ）が１階に至る。
【実施例２】
【００３０】
長さ約３．３ｍのねじシャフトを用いた２階用エレベータの例である。
本例では、１階フロアから２階天井に至る鋼管からなるセンター柱と、１階フロアから２階中間高さに達する２本のサイド柱とからなる柱に、長さ約３．３ｍの２本の第１ねじシャフト及び１本の第２ねじシャフトを支持させ、他の構造は図１〜図６の構造と実質的に同一の構造である。
【実施例３】
【００３１】
図７、図８は、長さ約５ｍのねじシャフトを用いた４階用エレベータに実施した例である。
図７（イ）において、１階フロアから４階天井に至るセンター柱（１ａ）、その両側に１階フロアから２階天井に至るサイド柱（２ａ）、（２ａ）、及びセンター柱（１ａ）と両サイド柱（２ａ）、（２ａ）の間に、１階フロアから３階天井に至る中間柱（２７ａ）、（２７ａ）を梁（３ａ）…により互に起立連結し、各柱（１ａ）、（２ａ）、（２ａ）、（２７ａ）、（２７ａ）の前面にレール（４ａ）、（５ａ）、（５ａ）、（２８ａ）、（２８ａ）を敷設してある。
【００３２】
上記サイド柱（２ａ）、（２ａ）の前位には、長さ約５ｍの第１ねじシャフト（６ａ）、（６ａ）を上例と同様に回転自在に起立支持すると共に、ねじシャフト（６ａ）、（６ａ）上端に正逆回転型ギヤードモータ（９ａ）、（９ａ）を接続し、この２本の第１ねじシャフト（６ａ）、（６ａ）に、本例では１本の第１リフトフレーム（１０ａ）の左右両端部を、上例と同様ナットブロックを介して螺合すると共に、スライダーを介して上記レール（５ａ）、（５ａ）に摺動自在に係合してある。
【００３３】
上記第１リフトフレーム（１０ａ）の左右両側部に、２本の第２ねじシャフト（２９ａ）、（２９ａ）の下端部を回転自在に支持すると共に、該ねじシャフト（２９ａ）、（２９ａ）の上端部は、上記レール（２８ａ）、（２８ａ）に摺動自在に係合された軸受（３０ａ）、（３０ａ）にそれぞれ回転自在に支持され、そして該第２ねじシャフト（２９ａ）、（２９ａ）の下端部に正逆回転型ギヤードモータ（３１ａ）、（３１ａ）をそれぞれ接続してある。
【００３４】
上記第２ねじシャフト（２９ａ）、（２９ａ）に、本例では１本の第２リフトフレーム（３２ａ）の左右両端部を、第１リフトフレーム（１０ａ）と同様、ナットブロックを介してそれぞれ螺合すると共に、スライダを介して上記レール（２８ａ）、（２８ａ）に摺動自在に支持してあり、この第２リフトフレーム（３２ａ）の中間部に、１本の第３ねじシャフト（１６ａ）の下端部を回転自在に支持させると共に、該ねじシャフト（１６ａ）の下端部に正逆回転式ギヤードモータ（１９ａ）を接続し、又該ねじシャフト（１６ａ）の上端部は、上記レール（４ａ）に摺動自在に係合支持された軸受（１８ａ）に回転自在に支持してある。
【００３５】
上記第３ねじシャフト（１６ａ）は最上位に上昇すべきシャフトであるから、ケージ（Ｇ）の背面上下位置に突設されたナットブロック（２０ａ）、（２０ａ）に螺合している。
【００３６】
又、上記第１及び第２リフトフレーム（１０ａ）、（３２ａ）には、それぞれ左右一対のリフトフックを突設し、該リフトフックと係合すべき受け金具を上記ケージ（Ｇ）の背面に固定してある。
【００３７】
上例の作用を簡単に説明する。図７（イ）において、モータ（９ａ）、（９ａ）の正転により第１ねじシャフト（６ａ）、（６ａ）を正回転させると、第１リフトフレーム（１０ａ）が上昇して、そのフック、受け金具を介してケージ（Ｇ）を上昇させ、同図（ロ）のようにケージ（Ｇ）を２階に上昇させる。
【００３８】
次に、モータ（３１ａ）、（３１ａ）の正転により第２ねじシャフト（２９ａ）、（２９ａ）を正回転させれば、第２リフトフレーム（３２ａ）が上昇して、そのフック、受け金具を介してケージ（Ｇ）を上昇させ、図８（ハ）のようにケージ（Ｇ）を３階に上昇させる。
【００３９】
次に、モータ（１９ａ）の正転により第３ねじシャフト（１６ａ）を正回転させれば、ナットブロック（２０ａ）、（２０ａ）が上昇してケージ（Ｇ）を４階に上昇させる。
【００４０】
上記と逆の操作によりケージ（Ｇ）を順次降下させる。
【図面の簡単な説明】
【００４１】
【図１】（イ）本発明によるねじシャフト式エレベータの略線正面図である。              （ロ）同上側面図である。
【図２】図１（ロ）のＡ−Ａ線拡大断面図である。
【図３】図２のＢ−Ｂ線断面図である。
【図４】図２のＣ−Ｃ線断面図である。
【図５】（ハ）ケージが２階に上昇した状態のねじシャフト式エレベータの側面図である。                                                                              （ニ）同上一部切欠側面図である。
【図６】（ホ）ケージが３階に上昇した状態の同上一部切欠側面図である。
【図７】（イ）本発明による他の実施例の略線正面図である。                            （ロ）ケージが２階に上昇した状態の同上正面図である。
【図８】（ハ）ケージが３階に上昇した状態の同上正面図である。                        （ニ）ケージが４階に上昇した状態の同上正面図である。
【符号の説明】
【００４２】
６、６ａ  第１ねじシャフト
９、９ａ、１９、１９ａ  正逆回転式ギヤードモータ
１０、１０ａ  第１リフトフレーム
１１  ナットブロック
１４  リフトフック
１６  第２ねじシャフト
２０、２０ａ  ナットブロック
Ｇ  ケージ
【図１】
2009132479.tif 000003
【図２】
2009132479.tif 000004
【図３】
2009132479.tif 000005
【図４】
2009132479.tif 000006
【図５】
2009132479.tif 000007
【図６】
2009132479.tif 000008
【図７】
2009132479.tif 000009
【図８】
2009132479.tif 000010